(57)【要約】【課題】噴霧乾燥を使用しない方法にて、陰イオン界面活性剤を含有する、中低嵩密度の洗剤粒子群を収率良く製造する方法を提供すること。【解決手段】洗剤用粉体原料を容器回転型混合機を用いて造粒する工程を有する洗剤粒子群の製造方法であって、陰イオン界面活性剤組成物の発泡体を、多流体ノズルを用いて該容器回転型混合機内に噴霧して該洗剤用粉体原料の造粒を行う、洗剤粒子群の製造方法。【選択図】なし【特許請求の範囲】
【請求項１】
洗剤用粉体原料を容器回転型混合機を用いて造粒する工程を有する洗剤粒子群の製造方法であって、
陰イオン界面活性剤組成物の発泡体を、多流体ノズルを用いて該容器回転型混合機内に噴霧して該洗剤用粉体原料の造粒を行う、洗剤粒子群の製造方法。
【請求項２】
多流体ノズルで噴霧後の該陰イオン界面活性剤組成物の発泡体の比重が０．１〜０．９５である、請求項１に記載の製造方法。
【請求項３】
陰イオン界面活性剤組成物の発泡体が、陰イオン界面活性剤組成物中にガス媒体を混入して得られたものである、請求項１又は２に記載の製造方法。
【請求項４】
陰イオン界面活性剤組成物へのガス媒体の混入が発泡機を用いて行われる、請求項３記載の製造方法。
【請求項５】
ガス媒体がエアーである、請求項３又は４記載の製造方法。
【請求項６】
多流体ノズルが２流体ノズルである、請求項１〜５のいずれか１項に記載の製造方法。
【請求項７】
陰イオン界面活性剤組成物が、次のａ）成分及びｂ）成分：
ａ）直鎖アルキルベンゼンスルホン酸の塩、アルキル硫酸の塩及びポリオキシエチレンアルキル硫酸の塩からなる群より選択される１種以上の陰イオン界面活性剤、
ｂ）上記ａ）成分１００質量部に対して２５〜７０質量部の水、
を含有する界面活性剤ペーストである、請求項１〜６のいずれか１項に記載の製造方法。
【請求項８】
洗剤用粉体原料１００質量部に対して２０〜１００質量部の陰イオン界面活性剤組成物の発泡体を噴霧する、請求項１〜７のいずれか１項に記載の製造方法。
【請求項９】
洗剤粒子群中の陰イオン界面活性剤の含有量が５〜５０質量％である、請求項１〜８のいずれか１項に記載の製造方法。
【請求項１０】
洗剤粒子群中、洗剤用粉体原料の含有量が１０〜８０質量％である、請求項１〜９のいずれか１項に記載の製造方法。
【請求項１１】
洗剤用粉体原料が水溶性固体アルカリ無機物質及び／又は水溶性無機塩である、請求項１〜１０のいずれかに記載の製造方法。
【発明の詳細な説明】
【技術分野】
【０００１】
本発明は容器回転型混合機と、陰イオン界面活性剤組成物の発泡体、多流体ノズルを用いた洗剤粒子群の製造方法に関する。
【背景技術】
【０００２】
現在、市販されている洗剤には、大きく分けて高嵩密度型洗剤（６９０ｇ／Ｌより大きい）、中嵩密度型洗剤（４００〜６９０ｇ／Ｌ）、低嵩密度型洗剤（２５０ｇ／Ｌ以上４００ｇ／Ｌ未満）、液体洗剤等がある。例えば、日本においては高嵩密度型洗剤が多く使用されているが、アジア・オセアニアや欧州等においては、中低嵩密度型洗剤の需要も多い。
【０００３】
経済性、環境対応の観点からは、噴霧乾燥を用いない製造方法として、非噴霧乾燥法による陰イオン性界面活性剤を用いた洗剤組成物の製造法が開示されている。特許文献１には、界面活性剤ペーストと乾燥した洗剤材料を高速ミキサー／中速ミキサー／乾燥機にて連続的に洗剤組成物を製造する方法が開示されている。特許文献２には、界面活性剤ペーストと乾燥した洗剤原料を高速ミキサー／中速ミキサー／コンディショニング装置にて微粒子を再循環させながら連続的に洗剤組成物を製造する方法が開示されている。
【０００４】
しかしながら、特許文献１の製法では粒度の調整が困難であり、また、特許文献２の製法では粒度の調整を行う為、微粒子を再循環させる製法を用いており、生産性が低い製造法である。その為、より簡単に必要な粒度の洗剤粒子群を収率良く得られる製法が求められている。更に、これら特許文献はいずれも、洗剤粒子の嵩密度を増加する方法を提供するものであり、中低嵩密度の洗剤粒子群の製造方法としては適切ではない。
【０００５】
また、特許文献３には、噴霧乾燥の使用を低減するかまたは使用しない製造方法として、界面活性剤の発泡体をミキサーに導入することによる界面活性剤顆粒の製造方法が開示されている。
【０００６】
しかしながら、特許文献３の製造方法では、洗剤粒子群を収率良く得る製法としては不十分である。
【先行技術文献】
【特許文献】
【０００７】
【特許文献１】特表平１０−５００７１６号公報
【特許文献２】特表平１０−５０６１４１号公報
【特許文献３】特表２００２−５２５４２０号公報
【発明の概要】
【発明が解決しようとする課題】
【０００８】
従って本発明の課題は、噴霧乾燥を使用しない方法にて、陰イオン界面活性剤を含有する、中低嵩密度の洗剤粒子群を収率良く製造する方法を提供することである。
【課題を解決するための手段】
【０００９】
即ち、本発明の要旨は、洗剤用粉体原料を容器回転型混合機を用いて造粒する工程を有する洗剤粒子群の製造方法であって、
陰イオン界面活性剤組成物の発泡体を、多流体ノズルを用いて該容器回転型混合機内に噴霧して該洗剤用粉体原料の造粒を行う、洗剤粒子群の製造方法に関するものである。
【発明の効果】
【００１０】
本発明の洗剤粒子群の製造方法により、中低嵩密度の洗剤粒子群が収率良く得られるという効果が奏される。このようにして得られた中低嵩密度の洗剤粒子群は高い溶解性を示すという効果も有する。
【発明を実施するための形態】
【００１１】
本発明の特徴の一つは、容器回転型混合機を用いて洗剤用粉体原料の造粒を行うことである。
【００１２】
一般に、容器回転型混合機を用いた造粒においては、粉体を均一に流動せしめることが可能であり、更に、回転による粒子の持ち上げ及び自重による滑り・落下を伴う混合機構の為、粉体に加えられるせん断力が抑制される。そのため、かかる混合機を用いた造粒方法は非圧密な造粒方法と言うことができる。また、かかる混合機に添加する陰イオン界面活性剤組成物は、粉体と接触した際の粘着性が強くないと造粒が進行しないために、粉体と接触した際に粘着性が発現する必要がある。このような陰イオン界面活性剤組成物を容器回転型混合機に一般的な供給方法である一流体ノズルや配管にて供給すると、供給される液体成分を混合機内で均一に分散させにくく、局在的に発生する大きな液塊により粗大粒子が形成されやすいという傾向が見られる。
【００１３】
そこで、２流体ノズル等の多流体ノズルを用いて、粉体と接触した際に粘着性を発現する陰イオン界面活性剤組成物の発泡体を噴霧することによって容器回転型混合機内に供給したところ、意外にも、粗大粒子の形成を抑制しつつ均一に造粒できることが分かった。これは、このような陰イオン界面活性剤組成物の発泡体を多流体ノズルを用いてあらかじめ微細な液滴とすることにより、容器回転型混合機内であっても陰イオン界面活性剤組成物の発泡体の高分散が達成でき、粗大粒子を形成する大きな液塊が発生しないためと考えられる。従って、粉体と接触した際に粘着性を発現する陰イオン界面活性剤組成物の発泡体を多流体ノズルを用いて容器回転型混合機内に添加することで、洗剤粒子群を収率良く製造することができる。
【００１４】
更に、本発明の特徴の一つは、陰イオン界面活性剤組成物の発泡体を多流体ノズルを用いて噴霧することである。
【００１５】
陰イオン界面活性剤組成物は、発泡体とすることにより、粉体との接触時に粘着性を発現するだけでなく、比重も減少する。このような発泡体を多流体ノズルを用いて噴霧すると、比重が減少した微細な液滴が生成され、その個数も増加する。その結果、洗剤用粉体原料との造粒において、陰イオン界面活性剤組成物が洗剤粒子１個当たりに占める体積が増加し、しかも該陰イオン界面活性剤組成物は発泡体となっており比重が減少しているので、該陰イオン界面活性剤組成物を発泡体としていない場合と比べて、洗剤粒子１個当たりの密度が減少するため、中低嵩密度の洗剤粒子群を得ることができる。
【００１６】
このように、本発明においては、容器回転型混合機と多流体ノズルとを組み合わせて採用し、更に陰イオン界面活性剤組成物の発泡体を用いることで、それぞれ単独で使用する場合からは予期できない、中低嵩密度の洗剤粒子群を収率良く得るという効果が奏される。
【００１７】
本発明の製造方法における造粒の態様としては、容器回転型混合器を使用して洗剤用粉体原料を撹拌しつつ、陰イオン界面活性剤組成物の発泡体を、多流体ノズルを用いて該洗剤用粉体原料に噴霧する態様であれば特に限定されるものではない。以下、本発明の製造方法の一例としての態様について、より詳細に説明する。
【００１８】
本発明において、洗剤粒子とは界面活性剤及びビルダー等を含有する粒子であり、洗剤粒子群とはその集合体を意味する。洗剤組成物とは、洗剤粒子群を含有し、所望により洗剤粒子群以外に別途添加された洗剤成分（例えば、ビルダー顆粒、蛍光染料、酵素、香料、消泡剤、漂白剤、漂白活性化剤等）を含有する組成物を意味する。
【００１９】
本明細書において、水溶性とは２５℃の水に対する溶解度が０．５ｇ／１００ｇ以上であることを意味し、水不溶性とは、２５℃の水に対する溶解度が０．５ｇ／１００ｇ未満であることを意味する。
【００２０】
Ａ．洗剤粒子群
本発明の洗剤粒子群は、（１）洗剤用粉体原料、（２）陰イオン界面活性剤組成物の発泡体、が配合されてなるものである。本発明の洗剤粒子群は、更に、（３）その他の粉体成分及び／又は（４）その他の液体成分を含有してもよい。
【００２１】
（１）洗剤用粉体原料
洗剤用粉体原料としては、水溶性固体アルカリ無機物質及び／又は水溶性無機塩が挙げられる。
【００２２】
（１−１）水溶性固体アルカリ無機物質
水溶性固体アルカリ無機物質とは、常温（２０℃）で固体状のアルカリ無機物質であり、該水溶性固体アルカリ無機物質としては、特に規定はないが、例えば、炭酸ナトリウム、炭酸水素ナトリウム、炭酸カリウム、ケイ酸ナトリウム等を挙げることができる。中でも洗濯液中で好適なｐＨ緩衝領域を示すアルカリ剤として炭酸ナトリウムが好ましい。これらの水溶性固体アルカリ無機物質は単独で用いても良く、二種以上を混合して用いても良い。
【００２３】
炭酸ナトリウムとしては、軽質ソーダ灰（ライト灰）、重質ソーダ灰（デンス灰）のいずれも用いることが可能である。
【００２４】
また、水溶性固体アルカリ無機物質の平均粒径は特に限定されないが、界面活性剤を高配合する場合には、収率の向上の観点から１〜５０μｍまで粉砕して用いてもよい。なお、水溶性固体アルカリ無機物質の平均粒径は体積基準で算出されるものであり、例えば、レーザー回折式粒度分布測定装置：ＬＡ−９２０（堀場製作所（株）製）を用いて測定される値である。
【００２５】
（１−２）水溶性無機塩
水溶性無機塩は、洗濯液のイオン強度を高め、皮脂汚れ洗浄等の効果を向上させる為、洗剤用粉体原料として用いることが好ましい。該水溶性無機塩としては、例えばイオン解離度の高い硫酸ナトリウム、塩化ナトリウム、亜硫酸ナトリウム、硫酸カリウムが好ましい。又、溶解速度向上の観点からは硫酸マグネシウムの併用も有効である。
【００２６】
また、水溶性無機塩の平均粒径は特に限定されないが、陰イオン界面活性剤を高配合する場合には、洗剤粒子群の収率向上の観点から１〜５０μｍまで粉砕して用いてもよい。なお、水溶性無機塩の平均粒径は体積基準で算出されるものであり、例えば、レーザー回折式粒度分布測定装置：ＬＡ−９２０（堀場製作所（株）製）を用いて測定される値である。
【００２７】
洗剤用粉体原料としては、水溶性固体アルカリ無機物質、水溶性無機塩のうち、例示された原料を単独で用いてもよいし、２種以上を混合して用いてもよい。洗剤用粉体原料としては、好ましくは炭酸ナトリウム及び／又は硫酸ナトリウムであり、より好ましくはライト灰である。
【００２８】
洗剤粒子群中、洗剤用粉体原料の含有量、好ましくは水溶性固体アルカリ無機物質と水溶性無機塩との含有量は、洗浄力向上の観点から１０質量％以上が好ましく、２０質量％以上がより好ましい。また、洗剤粒子群の嵩密度の低減の観点から８０質量％以下が好ましい。これらの観点から、洗剤粒子群中、洗剤用粉体原料の含有量、好ましくは水溶性固体アルカリ無機物質と水溶性無機塩との含有量は、１０〜８０質量％が好ましく、２０〜８０質量％がより好ましい。
【００２９】
（２）陰イオン界面活性剤組成物の発泡体
（２−１）陰イオン界面活性剤組成物
本発明に使用する陰イオン界面活性剤組成物としてはシャープな粒度分布の洗剤粒子群を得る観点から、界面活性剤ペーストが好ましく、次のａ）成分及びｂ）成分を含有する界面活性剤ペーストがさらに好ましい。
【００３０】
ａ）直鎖アルキルベンゼンスルホン酸の塩、アルキル硫酸の塩及びポリオキシエチレンアルキル硫酸の塩からなる群より選択される１種以上の陰イオン界面活性剤。
ｂ）上記ａ）成分１００質量部に対して２５〜７０質量部の水。
【００３１】
直鎖アルキルベンゼンスルホン酸の塩としては、好ましくはアルキル基の炭素数が１０〜１８、より好ましくは炭素数１２〜１６のものが好ましい。また、塩としてはＮａ塩、Ｋ塩、アンモニウム塩又はアミン塩が挙げられる。アルキル硫酸の塩としては、炭素鎖の炭素数が１０〜１８、より好ましくは炭素数１２〜１６のアルキル基又はアルケニル基のものが好ましい。また、塩としてはＮａ塩、Ｋ塩、アンモニウム塩又はアミン塩が挙げられる。
【００３２】
ポリオキシエチレンアルキル硫酸の塩としては、炭素鎖の炭素数が１０〜１８、より好ましくは炭素数１２〜１６のアルキル基又はアルケニル基のものが好ましい。また、ポリオキシエチレンの平均付加モル数として、０．１〜３．０のものが好ましい。さらに、塩としてはＮａ塩、Ｋ塩、アンモニウム塩又はアミン塩、が挙げられる。
これらの中でも、シャープな粒度分布の洗剤粒子群を得る観点から、アルキル硫酸の塩が好ましい。
【００３３】
界面活性剤ペーストとは、上記ａ）成分として示される陰イオン界面活性剤と上記ｂ）成分として示される水を少なくとも含有するものである。かかるペーストの６０℃における粘度として、１００Ｐａ・ｓ以下のものが好ましい。
【００３４】
該界面活性剤ペーストは、その含水率により粘度が大きく変化する。例えば、ａ）成分の酸前駆体をアルカリ化合物で中和して当該界面活性剤ペーストを調製することができるが、その際に、用いるアルカリ化合物の水分量を調節し、所望の含水率をもった、すなわち、所望の粘度を有する界面活性剤ペーストを調製することが好ましい。該陰イオン界面活性剤は、該陰イオン界面活性剤１００質量部に対して２５〜７０質量部の水を含有する際に、粘度が低下したペースト状の陰イオン界面活性剤となり、ハンドリングしやすくなることが一般的に知られており、本発明ではこの範囲に陰イオン界面活性剤の水分を調整した界面活性剤ペーストを用いることが好ましい。
【００３５】
界面活性剤ペーストにおける水の量の範囲としては、ハンドリングの観点から、ａ）成分１００質量部に対して２５〜７０質量部が好ましく、３０〜６５質量部がより好ましく、３５〜６５質量部が更に好ましく、界面活性剤ペースト中の水分量は、ハンドリングの観点から、２０〜４１質量％が好ましく、２３〜３９質量％がより好ましく、２６〜３９質量％がより更に好ましい。
【００３６】
また、界面活性剤ペーストの粘度は、好ましくは該界面活性剤ペーストの使用温度域において、製造上のハンドリング性の観点から、好ましくは１０Ｐａ・ｓ以下、より好ましくは５Ｐａ・ｓ以下、また同様に、好ましくは０．５Ｐａ・ｓ以上、より好ましくは１Ｐａ・ｓ以上であり、これらの観点から、好ましくは０．５〜１０Ｐａ・ｓであり、更に好ましくは１〜５Ｐａ・ｓである。前記使用温度域としては、界面活性剤ペーストの安定性の観点から、好ましくは２０〜７０℃、より好ましくは２０〜６０℃である。ここで、粘度は、共軸二重円筒型の回転粘度計（ＨＡＡＫＥ製、センサー：ＳＶ−ＤＩＮ）により剪断速度５０〔１／ｓ〕で測定して求める。
【００３７】
界面活性剤ペーストの調製法は、特に限定されず、公知の方法を用いることができる。該陰イオン界面活性剤の酸前駆体のうち、非常に不安定で分解しやすいものは、その分解を抑制できるように調製することが好ましい。たとえば、ループ反応器を用いて、中和熱を熱交換器などにより除去し、当該酸前駆体及び界面活性剤ペーストの温度管理に注意しながら製造を行なえばよい。製造時の温度域としては、３０〜６０℃が好ましく、製造後の保存温度域としては６０℃以下が好ましい。また、使用時、必要に応じて昇温し、界面活性剤ペーストを用いればよい。
【００３８】
得られる界面活性剤ペーストは、分解を抑制する観点から、過剰のアルカリ度を有することが好ましい。
【００３９】
該界面活性剤ペーストには、酸前駆体を製造した際の未反応アルコールや未反応ポリオキシエチレンアルキルエーテル、中和反応時の副生成物である芒硝、中和反応時に添加され得るｐＨ緩衝剤、脱色剤等が含有されていてもよい。
【００４０】
該界面活性剤ペーストにおいて、界面活性剤としてａ）成分からなる一種以上を単独で用いることもできるが、下記の界面活性剤を併用して用いることもできる。併用する場合は、あらかじめａ）成分含有の界面活性剤ペーストと混合して用いても良いし、それぞれ別々に添加しても良い。なお、下記界面活性剤を併用する場合、下記界面活性剤は、ａ）成分１００質量部に対して、好ましくは１〜７０質量部、より好ましくは２〜５０質量部、更に好ましくは３〜３０質量部である。かかる界面活性剤としては、α−スルホ脂肪酸エステル塩や二級アルカンスルホン酸塩が挙げられる。
【００４１】
（２−２）発泡体
本発明においては、上記陰イオン界面活性剤組成物の発泡体を使用する。発泡体は、該陰イオン界面活性剤組成物中にガス媒体（エアー、窒素、二酸化炭素等）が含有されてなるものである。ガス媒体としては、生産性の観点からエアー（空気）が好ましい。
【００４２】
かかる発泡体は、例えば、陰イオン界面活性剤組成物にガス媒体を混入することによって得ることができる。該発泡体のより具体的な調製方法として、バッチ式、連続式が挙げられる。バッチ式としては、バッチニーダー等の一般に用いられる混練機に、該陰イオン界面活性剤組成物を投入し、ガス媒体存在下、所定の時間の間混練を行うことによりガス媒体を巻き込み、発泡体を調製する方法である。
【００４３】
連続式としては、所定量の該界面活性剤組成物及びガス媒体を連続的に高速回転部に導入することによりガス媒体を混合分散し、発泡体を調製する方法である。
【００４４】
該発泡体の比重等の物性の安定性や調製法の容易さ、及び生産性の観点から、連続式の調製方法が好ましい。このような連続式の調製方法を行う発泡機の一例としては、MDFシリーズ（大平洋機工株式会社製）、BMシリーズ（株式会社ヤナギヤ製）等が挙げられる。
【００４５】
バッチ式の調製方法においては、該界面活性剤組成物の混練時間により、該発泡体の比重がコントロールできる。
【００４６】
また、連続式の調製方法においては、該界面活性剤組成物に対するガス媒体の流量を調製することにより、該発泡体の比重がコントロールできる。ガス媒体の体積流量の範囲としては、例えば、該界面活性剤組成物の体積流量の０．２倍から１０倍の範囲であることが好ましい。陰イオン界面活性剤へのガス媒体の混入が、発泡機を用いて行われることが好ましい。
【００４７】
発泡機に供給する際の陰イオン界面活性剤組成物の温度としては、界面活性剤ペーストの安定性の観点から、好ましくは２０〜７０℃、より好ましくは２０〜６０℃である。
【００４８】
得られる該陰イオン界面活性剤組成物の発泡体の比重は、中低嵩密度の洗剤粒子群を収率良く得る観点から、好ましくは０．１〜０．９、より好ましくは０．１〜０．８、さらに好ましくは０．１〜０．７である。
【００４９】
なお、本発明で得られる洗剤粒子群中における陰イオン界面活性剤の含有量としては、洗浄力及び洗剤用粉体原料との造粒物を形成させる観点から、洗剤粒子群中の５質量％以上が好ましく、１０質量％以上がより好ましい。また、粗大粒子の生成を抑制する観点から、５０質量％以下が好ましく、４０質量％以下がより好ましく、これらの観点から、洗剤粒子群中における上記含有量としては５〜５０質量％が好ましく、１０〜５０質量％がより好ましく、１０〜４０質量％がより更に好ましい。
【００５０】
本発明における、（２）陰イオン界面活性剤組成物の発泡体は、洗剤用粉体原料を結合させて造粒物を形成させる能力を有するものであり、上記段落で述べたように、該陰イオン界面活性剤組成物が洗剤用粉体原料と接触した際に粘着性を発現することが本願の一つの特徴である。
【００５１】
該陰イオン界面活性剤組成物の発泡体は、洗剤用粉体原料に添加された際に、該陰イオン界面活性剤組成物中の水分が洗剤用粉体原料の水和や溶解により奪われることにより、又は、洗剤用粉体原料の温度が該陰イオン界面活性剤の温度より低い場合において、該陰イオン界面活性剤組成物の発泡体の温度が、その融点近傍又は融点以下まで低下することにより、該陰イオン界面活性剤組成物の発泡体が固化することで粘着性が発現すると推定される。
【００５２】
このように、該陰イオン界面活性剤組成物の発泡体が洗剤用粉体原料に接触した際に粘着性を発現することで、洗剤用粉体原料の造粒が進行するが、その粘着性発現の目安として、該陰イオン界面活性剤組成物の発泡体が洗剤用粉体原料と接触したときの粘度が２Ｐａ・ｓ以上が好ましく、３Ｐａ・ｓ以上がより好ましい。尚、接触時の発泡体の粘度は、共軸二重円筒型の回転粘度計（ＨＡＡＫＥ製、センサー：ＳＶ−ＤＩＮ）により剪断速度５０〔１／ｓ〕の条件において、該陰イオン界面活性剤組成物の発泡体が洗剤用粉体原料と接触したときと同様となるように、その温度や水分値を調整して測定すればよい。
【００５３】
（３）その他の粉体成分
容器回転型混合機には、「洗剤用粉体原料」以外の一般に洗剤組成物の分野に用いられる公知の物質を合わせて添加してもよい。洗剤粒子群中のその他の粉体成分の量は、１〜３０質量％が好ましく、１〜２０質量％がより好ましい。
【００５４】
かかる物質としては、キレート剤（トリポリリン酸塩、オルトリン酸塩、ピロリン酸塩等、アルカリ金属アルミノケイ酸塩）、水溶性ポリマーのうち粉体のもの（カルボン酸ポリマー、カルボキシメチルセルロース、可溶性澱粉、糖類、ポリエチレングリコール）、水不溶性賦形剤（二酸化ケイ素、水和ケイ酸化合物、バーライト、ベントナイト等の粘土化合物等）や、粒子状界面活性剤（脂肪酸又はその塩、直鎖アルキルベンゼンスルホン酸塩、アルキル硫酸塩等）が挙げられる。
【００５５】
上記の物質は、該陰イオン界面活性剤組成物の発泡体を添加する前に、洗剤用粉体原料と合わせて添加してもよいし、該陰イオン界面活性剤組成物の発泡体を添加した後に添加してもよい。アルカリ金属アルミノケイ酸塩を添加する場合は、表面改質剤として用いることで、流動性の向上、保存安定性の向上を図ることができるため、該陰イオン界面活性剤の発泡体を添加した後に添加することが好ましい。
【００５６】
（４）その他の液体成分
本発明においては、さらにその他の液体成分を添加して洗剤粒子群を製造してもよい。添加されるその他の液体成分としては、得ようとする洗剤粒子群の組成に応じて適宜選択することができる。液体成分の添加時期は特に限定されるものではなく、例えば、該陰イオン界面活性剤組成物に予め混合しておいてもよいし、該陰イオン界面活性剤組成物の発泡体を添加する前又はその途中、或いは後に行ってもよいが、表面改質剤を添加する場合には、表面改質剤の添加前が好ましい。
【００５７】
該陰イオン界面活性剤組成物の発泡体を添加した後に液体成分を添加する場合は、容器回転型混合機にて該液体成分を添加してもよいし、本発明の製造方法によって得られる洗剤粒子群を容器回転型混合機から排出した後に、別の混合機／造粒機に得られた洗剤粒子群を投入し、当該液体成分をここに添加してもよい。
【００５８】
液体成分としては、例えば非イオン界面活性剤や脂肪酸、水溶性ポリマー（カルボン酸ポリマー、カルボキシメチルセルロース、可溶性澱粉、糖類、ポリエチレングリコール等）等の通常の洗剤組成物に用いられる任意の液体成分が挙げられる。液体成分は一成分のみを用いてもよく、二成分以上を併用しても良い。液体成分としては、その融点以上の温度にて液状として添加してもよく、又は水溶液若しくは分散液の形態で添加してもよい。媒体を除いた正味の液体成分の量としては、洗剤粒子群の凝集抑制の観点から、最終産物である洗剤粒子群の１５質量％以下が好ましく、１０質量％以下がより好ましい。
【００５９】
液体成分として用いられる非イオン界面活性剤としては、特に限定されるものではないが、洗浄力の観点から、例えば炭素数１０〜１４のアルコールにアルキレンオキシドを６〜２２モル付加したポリオキシアルキレンアルキルエーテルが好ましい。
【００６０】
これら液体成分の添加方法としては、本発明で記載の多流体ノズルに依らず、任意のノズルにより噴霧可能である。
【００６１】
Ｂ．洗剤粒子群の製造方法
本発明の製造方法では、容器回転型混合機を用いて、陰イオン界面活性剤組成物の発泡体を該混合機内に噴霧することによって、洗剤用粉体原料を造粒する工程を有する。該陰イオン界面活性剤組成物の発泡体を添加する際には、多流体ノズルを用いて該容器回転型混合機内に噴霧することによって、造粒が行われる。
【００６２】
噴霧される陰イオン界面活性剤組成物の発泡体の量としては、洗剤用粉体原料１００質量部に対して２０〜１００質量部が好ましく、２５〜９０質量部がより好ましい。洗浄力の観点から２０質量部以上が好ましく、造粒収率、溶解性の観点から１００質量部以下が好ましい。
【００６３】
（１）容器回転型混合機
容器回転型混合機としては、ドラム型混合機或いはパン型混合機が好ましい。ドラム型混合機としては、ドラム状の円筒が回転して処理を行うものであれば特に限定されるものではなく、水平又はわずかに傾斜させたドラム型混合機の他に円錐ドラム型造粒機（混合機）、多段円錐ドラム型造粒機（混合機）等も使用可能である。これらの装置はバッチ式、連続式いずれの方法においても用いることができる。
【００６４】
なお、洗剤粒子群と容器回転型混合機の内壁との間の壁面摩擦係数が小さく、洗剤粒子群に充分な上昇運動力を加えることが困難な場合、容器内壁に複数個の邪魔板（バッフル）を取付けてもよい。このことにより、粒子群に上昇運動を行わせることが可能となり、粉末混合性及び固液混合性が向上する。
【００６５】
容器回転型混合機の運転条件としては、混合機内の成分が攪拌できる条件であれば特に限定されないが、下記の式で定義されるフルード数が、０．００５〜１．０である運転条件が好ましく、０．０１〜０．６である運転条件がより好ましい。
【００６６】
フルード数：Ｆｒ＝Ｖ2／（Ｒ×ｇ）
Ｖ：周速[m/s]
Ｒ：回転中心から回転物の円周までの半径[m]
ｇ：重力加速度[m/s2]
【００６７】
（２）多流体ノズル
本発明においては、該陰イオン界面活性剤組成物の発泡体を多流体ノズルを用いて供給することが一つの特徴である。かかるノズルを用いることにより、上記の界面活性剤ペーストやその発泡体といった比較的粘度が高い流動性成分であっても、その液滴を微細化して分散させることができる。多流体ノズルとは、液体と微粒化用気体（エアー、窒素等）とを独立の流路を通してノズル先端部近傍まで流通させて混合・微粒化するノズルであり、２流体ノズルや３流体ノズル、４流体ノズル等を用いることができる。これらの多流体ノズルの中で、操作の容易性や入手の容易性の観点から、２流体ノズルが好ましい。
【００６８】
本発明では、該陰イオン界面活性剤組成物の発泡体と微粒化用気体とを混合して、微粒化させることが好ましい。該陰イオン界面活性剤組成物の発泡体と微粒化用気体の混合部のタイプとしては、ノズル先端部内で混合する内部混合型、或いはノズル先端部外で混合する外部混合型のいずれであっても良い。
【００６９】
このような多流体ノズルとしては、スプレーイングシステムスジャパン（株）製、（株）共立合金製作所製、いけうち（株）製等の内部混合型２流体ノズル、スプレーイングシステムスジャパン（株）製、（株）共立合金製作所製、（株）アトマックス製等の外部混合型２流体ノズル、藤崎電機（株）製の外部混合型４流体ノズル等が挙げられる。
【００７０】
また、該陰イオン界面活性剤組成物の発泡体の液滴の液滴径については、その流量と微粒化用気体の流量のバランスを変更することにより調整可能である。すなわち、ある一定流量の該陰イオン界面活性剤組成物の発泡体に対して、微粒化用気体の流量を増加させればさせるほど、液滴径は小さくなる。更に、ある一定流量の微粒化用気体に対して該陰イオン界面活性剤組成物の発泡体の流量を低下させればさせるほど、液滴径は小さくなる。液滴径が小さいほど、すなわち、微粒化用気体の流量を増やすほど微細化された液滴により粗粒の低減、すなわち収率の向上が可能となる。
【００７１】
一方で、該発泡体は、多流体ノズルに供給される微粒化用気体によりせん断力を受け、該発泡体が破泡して該発泡体の比重の上昇が起こりやすい。そのため、該発泡体の比重の上昇を抑制可能となるように多流体ノズルに供給される微粒化用気体の流量を調整することが好ましい。すなわち、本発明においては、粗粒の低減と該発泡体の比重の上昇抑制を両立するために好適な微粒化用気体の流量が存在することとなる。
【００７２】
好適な微粒化用気体の流量は、用いる多流体ノズルの種類により異なるが、〔陰イオン界面活性剤組成物の発泡体の体積流量（ｃｍ3／ｍｉｎ）〕／〔微粒化用気体の流量（Ｌ／ｍｉｎ）〕とのパラメータを考えた場合、中低嵩密度の洗剤粒子群を収率良く得る観点から、好ましくは０．５〜３０ｃｍ3／Ｌ、より好ましくは１〜２０ｃｍ3／Ｌである。（株）アトマックス製の２流体ノズルＢＮ９０を用いる場合に、上記の範囲は好適である。
【００７３】
多流体ノズルで噴霧後の該陰イオン界面活性剤組成物の発泡体の液滴径としては、平均粒径で１０〜５００μｍであることが好ましい。
【００７４】
なお、該陰イオン界面活性剤組成物の発泡体の液滴径の平均粒径は体積基準で算出されるものであり、レーザー回折式粒度分布測定装置：スプレーテック（マルバーン社製）を用いて測定される値である。
【００７５】
多流体ノズルで噴霧後の該陰イオン界面活性剤組成物の発泡体の比重は、中低嵩密度の洗剤粒子群を収率良く得る観点から、好ましくは０．１〜０．９５、より好ましくは０．２〜０．９５、更に好ましくは０．２〜０．８５である。
【００７６】
また、該陰イオン界面活性剤組成物の発泡体の添加速度を上げたい場合には、これらの多流体ノズルを複数個使用し、液滴の微細化を維持しつつ添加速度を上げることも効果的である。
【００７７】
このような容器回転型混合機と、陰イオン界面活性剤の発泡体と、多流体ノズルを組み合わせた方法を用いることで、陰イオン界面活性剤組成物の発泡体においても均一な分散が可能となり、収率が向上した中低嵩密度の洗剤粒子群が得られる。
【００７８】
Ｃ．洗剤粒子群を含有する洗剤組成物及びその製造方法
上記のようにして製造される洗剤粒子群をそのまま洗剤組成物として扱うこともできるが、さらに所望の成分が添加されたものも洗剤組成物として扱うことができる。即ち、本発明の洗剤組成物は、本発明の製造方法によって得られる洗剤粒子群を少なくとも含有してなるものである。
【００７９】
添加される成分としては、例えば、ビルダー顆粒、蛍光染料、酵素、香料、消泡剤、漂白剤、漂白活性化剤等が挙げられる。かかる成分は、該陰イオン界面活性剤組成物を添加した後に、容器回転型混合機に添加してもよいし、又は、本発明の製造方法によって得られる洗剤粒子群を容器回転型混合機から排出した後に、別の混合機を用いて添加してもよい。
【００８０】
Ｄ．物性と評価
本発明により得られる洗剤粒子群等の物性としては、嵩密度や流動性、平均粒径が挙げられる。また生産性の指標となる物性として造粒収率が挙げられる。また溶解性の指標となる物性として６０秒間溶解率、及びザラツキ消失時間が挙げられる。洗剤粒子群の嵩密度としては、６０秒間溶解率、及びザラツキ消失時間に優れる観点から、中低嵩密度である２５０〜６９０ｇ／Ｌが好ましく、２５０〜６５０ｇ／Ｌがさらに好ましく、３００〜６００ｇ／Ｌがより好ましい。洗剤粒子群の平均粒径としては、洗剤粒子の造粒収率を向上させる観点から、２００〜８００μｍが好ましく、２００〜６００μｍがより好ましい。洗剤粒子群の流動性としては、洗剤粒子の取り扱い性に優れる観点から、４〜１２秒が好ましく、４〜１０秒がより好ましく、４〜８秒が更に好ましい。造粒収率としては、１００％に近ければ近い程好ましく、例えば、８０〜１００％が好ましく、９０〜１００％がより好ましい。
【００８１】
洗剤粒子群等についての物性の測定方法は以下に説明する通りである。
＜物性の測定方法＞
１．嵩密度
嵩密度は、ＪＩＳ  Ｋ  ３３６２：２００８において見掛け密度として記載された方法で測定する。なお、嵩密度は、２０００μｍの篩上に残留した粒子をカットした残りの粒子にて測定する。
【００８２】
２．流動性
流動性は、ＪＩＳ  Ｋ  ３３６２：２００８記載の見掛け密度測定用のホッパーから、１００ｍＬの粉末が流出するのに要する時間とする。ホッパー内におけるブリッジング等により粉末が６０秒以内に流出しない場合、流動性は60<とする。なお、流動性は、２０００μｍの篩上に残留した粒子をカットした残りの粒子にて測定する。
【００８３】
３．平均粒径
平均粒径については、ＪＩＳ  Ｚ  ８８０１−１：２００６記載の金属製網ふるい（目開き２０００〜４５μｍ）を用いて５分間振動させた後、篩目のサイズによる質量分率からメジアン径を算出する。より詳細には、目開き４５μｍ、６３μｍ、９０μｍ、１２５μｍ、１８０μｍ、２５０μｍ、３５５μｍ、５００μｍ、７１０μｍ、１０００μｍ、１４１０μｍ、２０００μｍの１２段の篩と受け皿を用いて、受け皿上に目開きの小さな篩から順に積み重ね、最上部の２０００μｍの篩の上から１００ｇの粒子を添加し、蓋をしてロータップ型ふるい振とう機（ＨＥＩＫＯ製作所製、タッピング１５６回／分、ローリング：２９０回／分）に取り付け、５分間振動させたあと、それぞれの篩及び受け皿上に残留した当該粒子の質量を測定し、各篩上の当該粒子の質量割合（％）を算出する。受け皿から順に目開きの小さな篩上の当該粒子の質量割合を積算していき合計が５０％となる粒径を平均粒径とする。
【００８４】
さらに、上記の洗剤粒子群の平均粒径の測定時に目開き１０００μｍ、１４１０μｍ及び２０００μｍの各篩上に残留する洗剤粒子群の割合を質量％で表した値を粗粒（１０００μｍＯＮ）率として求める。同様に、受け皿及び目開き４５μｍ、６３μｍ、９０μｍの各篩上に残留する洗剤粒子群の割合を質量％で表した値を微粉（１２５μｍＰＡＳＳ）率として求める。
【００８５】
４．造粒収率
本発明における造粒収率とは、製造された洗剤粒子群中の、２０００μｍ以下の粒子の質量での割合を示したものである。
【００８６】
５．６０秒間溶解率
６０秒間溶解率については以下の方法で算出する。
硬度が７１．２ｍｇＣａＣＯ3／リットルに相当する１０℃に調整した１リットルの硬水（Ｃａ／Ｍｇモル比７／３）を１リットルビーカー（内径１０５ｍｍ、高さ１５０ｍｍの円筒型、例えば岩城硝子社製１リットルガラスビーカー）の中に満たし、１０℃の水温をウォーターバスにて一定に保った状態で、撹拌子（長さ３５ｍｍ、直径８ｍｍ、例えば型式:ＡＤＶＡＮＴＥＣ社製、テフロン（登録商標）ＳＡ（丸型細型））にて水深に対する渦巻きの深さが略１／３となる回転数（８００ｒ／ｍ）で撹拌する。１．００００±０．００１０ｇとなるように縮分・秤量した洗剤粒子群を撹拌下に水中に投入・分散させ撹拌を続ける。投入から６０秒後にビーカー中の洗剤粒子群分散液を、質量既知のＪＩＳ  Ｚ  ８８０１−１：２００６記載の目開き７４μｍの金属製網ふるい（直径１００ｍｍ）で濾過し、篩上に残留した含水状態の洗剤粒子群を篩と共に質量既知の開放容器に回収する。なお、濾過開始から篩を回収するまでの操作時間を１０±２秒とする。回収した洗剤粒子群の溶残物を１０５℃に加熱した電気乾燥機にて１時間乾燥し、その後、シリカゲルを入れたデシケーター（２５℃）内で３０分間保持して冷却する。冷却後、乾燥した洗剤の溶残物と篩と回収容器の合計の質量を測定し、式（１）によって洗剤粒子群の溶解率（％）を算出する。
【００８７】
６０秒間溶解率（％）＝｛１−（Ｔ／Ｓ）｝×１００・・・（１）
Ｓ：洗剤粒子群の投入質量（ｇ）
Ｔ：上記撹拌条件にて得られた水溶液を上記篩に供したときに、篩上の残存する洗剤粒子群の溶残物の乾燥質量（ｇ）
【００８８】
６．ザラツキ消失時間
ザラツキ消失時間は以下の方法で測定する。
直径３５ｃｍ、深さ１２ｃｍの洗面器に２０℃の水３Ｌを入れ、洗剤粒子群１５ｇを洗面器内に静かに添加した後、手の平にて洗面器底面を毎秒１回の速度にて擦った際の洗剤粒子群のザラツキが消失した時間（秒）とする。
【００８９】
＜陰イオン界面活性剤組成物の発泡体の比重の測定方法＞
発泡機より得られる陰イオン界面活性剤組成物の発泡体の比重は、任意の容器の容積を予め２０℃の水を用いて測定した後、発泡機出口から排出された陰イオン界面活性剤組成物の発泡体を該容器に徐々に添加しながら繰り返しタッピングを行い、発泡体と発泡体の間に空隙が生じないように充填し、得られた発泡体の質量を該容器の容積で除すことにより、発泡時の温度（発泡機を用いる場合は発泡機に供給する温度）で測定する。噴霧後の陰イオン界面活性剤組成物の発泡体の比重は、噴霧された陰イオン界面活性剤組成物をポリエチレン袋やバット等の容器により回収し、噴霧時の温度で上記と同様の方法により測定する。なお、本明細書において別途記載のない限り、比重とは２０℃の水の密度に対する比重である。
【００９０】
上述した実施形態に関し、本発明はさらに以下の製造方法を開示する。
【００９１】
＜１＞洗剤用粉体原料を容器回転型混合機を用いて造粒する工程を有する洗剤粒子群の製造方法であって、
陰イオン界面活性剤組成物の発泡体を、多流体ノズルを用いて該容器回転型混合機内に噴霧して該洗剤用粉体原料の造粒を行う、洗剤粒子群の製造方法。
【００９２】
＜２＞多流体ノズルで噴霧後の該陰イオン界面活性剤組成物の発泡体の比重が０．１〜０．９５、好ましくは０．２〜０．９５、より好ましくは０．２〜０．８５である、前記＜１＞に記載の製造方法。
＜３＞陰イオン界面活性剤組成物の発泡体が、陰イオン界面活性剤組成物中にガス媒体を混入して得られたものである、前記＜１＞又は＜２＞に記載の製造方法。
＜４＞陰イオン界面活性剤組成物へのガス媒体の混入が発泡機を用いて行われる、前記＜３＞に記載の製造方法。
＜５＞ガス媒体がエアーである、前記＜３＞又は＜４＞記載の製造方法。
＜６＞多流体ノズルが２流体ノズルである、前記＜１＞〜＜５＞いずれかに記載の製造方法。
＜７＞陰イオン界面活性剤組成物が、次のａ）成分及びｂ）成分：
ａ）直鎖アルキルベンゼンスルホン酸の塩、アルキル硫酸の塩及びポリオキシエチレンアルキル硫酸の塩からなる群より選択される１種以上の陰イオン界面活性剤、
ｂ）上記ａ）成分１００質量部に対して２５〜７０質量部、好ましくは３０〜６５質量部、より好ましくは３５〜６５質量部の水、
を含有する界面活性剤ペーストである、前記＜１＞〜＜６＞のいずれか１項に記載の製造方法。
【００９３】
＜８＞洗剤用粉体原料１００質量部に対して２０〜１００質量部、好ましくは２５〜９０質量部の陰イオン界面活性剤組成物の発泡体を噴霧する、前記＜１＞〜＜７＞のいずれか１項に記載の製造方法。
＜９＞洗剤用粉体原料が水溶性固体アルカリ無機物質及び／又は水溶性無機塩である前記＜１＞〜＜８＞のいずれか１項に記載の製造方法。
＜１０＞洗剤粒子群中、洗剤用粉体原料の含有量が、１０質量％以上、好ましくは２０質量％以上、好ましくは８０質量％以下であり、好ましくは１０〜８０質量％、より好ましくは２０〜８０質量％である、前記＜１＞〜＜９＞のいずれか１項に記載の製造方法。
＜１１＞洗剤用粉体原料が炭酸ナトリウム及び／又は硫酸ナトリウムであり、好ましくはライト灰である、前記＜１＞〜  ＜１０＞のいずれか１項に記載の製造方法。
＜１２＞上記ａ）成分の陰イオン界面活性剤が、炭素数１０〜１８、好ましくは炭素数１２〜１６の直鎖アルキルベンゼンスルホン酸の塩、炭素数１０〜１８、好ましくは炭素数１２〜１６のアルキル硫酸の塩及び炭素数１０〜１８、好ましくは炭素数１２〜１６のポリオキシエチレンアルキル硫酸の塩からなる群より選択される１種以上である、前記＜７＞〜＜１１＞のいずれか１項に記載の製造方法。
＜１３＞洗剤粒子群中の陰イオン界面活性剤の含有量が、５質量％以上、好ましくは１０質量％以上、好ましくは５０質量％以下、より好ましくは４０質量％以下であり、好ましくは５〜５０質量％、より好ましくは１０〜５０質量％、更に好ましくは１０〜４０質量％である、前記＜１＞〜＜１２＞のいずれか１項に記載の製造方法。
＜１４＞容器回転型混合機がドラム型混合機或いはパン型混合機である、前記＜１＞〜＜１３＞のいずれか１項に記載の製造方法。
＜１５＞陰イオン界面活性剤組成物の発泡体の比重が、０．１〜０．９、好ましくは０．１〜０．８、より好ましくは０．１〜０．７である、前記＜１＞〜＜１４＞のいずれか１項に記載の製造方法。
【００９４】
＜１６＞多流体ノズルが陰イオン界面活性剤組成物の発泡体と微粒化用気体とを混合するノズルであって、〔陰イオン界面活性剤組成物の発泡体の体積流量（ｃｍ3／ｍｉｎ）〕／〔微粒化用気体の流量（Ｌ／ｍｉｎ）〕の値の範囲が０．５〜３０ｃｍ3／Ｌ、好ましくは１〜２０ｃｍ3／Ｌである、前記＜１＞〜＜１５＞のいずれか１項に記載の製造方法。
＜１７＞得られる洗剤粒子群の嵩密度が、２５０〜６９０ｇ／Ｌ、好ましくは２５０〜６５０ｇ／Ｌ、より好ましくは３００〜６００ｇ／Ｌである、前記＜１＞〜＜１６＞のいずれか１項に記載の製造方法。
＜１８＞容器回転型混合機の下記式より求められるフルード数が、０．００５〜１．０、好ましくは０．０１〜０．６である運転条件で洗剤用粉体原料の造粒を行う、前記＜１＞〜＜１７＞のいずれか１項に記載の製造方法。
フルード数：Ｆｒ＝Ｖ2／（Ｒ×ｇ）
Ｖ：周速[m/s]
Ｒ：回転中心から回転物の円周までの半径[m]
ｇ：重力加速度[m/s2]
【実施例】
【００９５】
以下に、本発明を実施例等に基づいてさらに詳細に説明するが、本発明はかかる実施例のみに限定されるものではない。
【００９６】
以下の実施例等においては、特に記載のない限り下記の原料を用いた。なお、表中の組成の％は質量％を意味する。
ポリオキシエチレンアルキル硫酸ナトリウム（純分７０％、残部水：アルキル基の炭素数がＣ１２／Ｃ１４＝７０／３０）、花王製「エマール２７０Ｊ」
アルキル硫酸ナトリウム（純分６６％、残部水；アルキル基の炭素数がＣ１２／Ｃ１４／Ｃ１６＝６４／２４／１２（質量％））
ドデシルベンゼンスルホン酸ナトリウム（純分６５％、残部水）、花王製「ネオペレックス  Ｇ−６５」
ライト灰：平均粒径１００μｍ、セントラル硝子（株）製
粉砕ライト灰：上記ライト灰を平均粒径１０μｍに粉砕したもの
硫酸ナトリウム：平均粒径２００μｍ、四国化成工業（株）製「中性無水芒硝」
粉砕硫酸ナトリウム：上記硫酸ナトリウムを平均粒径２２μｍに粉砕したもの
ゼオライト：平均粒径３．５μｍ、ゼオビルダー社製
ポリアクリル酸ナトリウム：花王（株）製  重量平均分子量１００００のもの（純分４０％）
ポリエチレングリコール：花王（株）製  重量平均分子量１３０００のもの（純分６０％）
【００９７】
以下の実施例等では、容器回転型混合機として、邪魔板を有した７５Ｌドラム型ミキサー（φ４０ｃｍ×Ｌ６０ｃｍ）を、ミキサー底部が下側になるように水平から１４°に傾けて使用した。多流体ノズルとして、２流体ノズル（（株）アトマックス製：型番ＢＮ９０）を１本使用した。２流体ノズルに供給する際の陰イオン界面活性剤の発泡体の温度は６０℃とした。また、陰イオン界面活性剤組成物の発泡体は、連続式の発泡機であるＭＤＦ０（大平洋機工（株）製）を用いて調製した。発泡機に供給する際の該組成物の温度は６０℃とした。
【００９８】
実施例１（洗剤粒子群の調製）
６０℃のアルキル硫酸ナトリウム１００質量部と６０℃のドデシルベンゼンスルホン酸ナトリウム１３５質量部を混合して、陰イオン界面活性剤組成物を調製した。調製された陰イオン界面活性剤組成物は、陰イオン界面活性剤１００質量部に対して水を５２．８質量部含有する界面活性剤ペーストであった。また、該ペーストの６０℃での粘度は１．７Ｐａ・ｓであった。
【００９９】
ライト灰１．８１ｋｇ、粉砕硫酸ナトリウム３．４２ｋｇを洗剤用粉体原料としてドラム型ミキサー内に添加し、フルード数０．２で３０秒間攪拌した。その後、攪拌を継続したまま、前記ＭＤＦ０により調製した陰イオン界面活性剤組成物の発泡体１．５５ｋｇを、添加時間１７分間、微粒化用気体８０Ｌ／ｍｉｎ（発泡体の体積流量／微粒化用気体の流量は５．３ｃｍ3／Ｌ）の噴霧条件にて２流体ノズルにより添加し、添加後１分間攪拌した。即ち、洗剤用粉体原料１００質量部に対して２９．６質量部の該発泡体を６０℃で噴霧した。その後攪拌を止め、ゼオライト０．２２ｋｇを添加して前記と同条件にて１分間攪拌を行い、得られた造粒物をドラム型ミキサーから排出して洗剤粒子群とした。
【０１００】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された後の陰イオン界面活性剤組成物の発泡体の比重は、微粒化用気体によるせん断力により破泡し０．８５であった。得られた洗剤粒子群の組成及び物性を表１に示す。
【０１０１】
実施例２
アルキル硫酸ナトリウムを６０℃に調整し、陰イオン界面活性剤組成物とした。調製された陰イオン界面活性剤組成物は、陰イオン界面活性剤１００質量部に対して水を５１．５２質量部含有する界面活性剤ペーストであった。また、該ペーストの６０℃での粘度は１．４Ｐａ・ｓであった。
【０１０２】
粉砕硫酸ナトリウム４．２０ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．８０ｋｇを、添加時間３３分、微粒化用気体８０Ｌ／ｍｉｎ（発泡体の体積流量／微粒化用気体の流量は５．３ｃｍ3／Ｌ）の噴霧条件にて２流体ノズルにより添加し、添加後１分間攪拌した。即ち、洗剤用粉体原料１００質量部に対して６６．７質量部の該発泡体を６０℃で噴霧した。その後攪拌を止め、得られた造粒物をドラム型ミキサーから排出して洗剤粒子群とした。
【０１０３】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された陰イオン界面活性剤組成物の発泡体の比重は、微粒化用気体によるせん断力により破泡し０．８５であった。得られた洗剤粒子群の組成及び物性を表１に示す。
【０１０４】
実施例３
微粒化用気体の流量を４２Ｌ／ｍｉｎ（発泡体の体積流量／微粒化用気体の流量は１０．０ｃｍ3／Ｌ）としたことを除いて、実施例２と同条件にて造粒を行った。２流体ノズルにより噴霧された陰イオン界面活性剤組成物の発泡体の比重は、０．６８であった。得られた洗剤粒子群の組成及び物性を表１に示す。
【０１０５】
実施例４
アルキル硫酸ナトリウムを６０℃に調整し、陰イオン界面活性剤組成物とした。
【０１０６】
ライト灰４．２０ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．８０ｋｇを、添加時間３３分、微粒化用気体８０Ｌ／ｍｉｎ（発泡体の体積流量／微粒化用気体の流量は５．３ｃｍ3／Ｌ）の噴霧条件にて２流体ノズルにより添加し、添加後１分間攪拌した。即ち、洗剤用粉体原料１００質量部に対して６６．７質量部の該発泡体を６０℃で噴霧した。その後攪拌を止め、得られた造粒物をドラム型ミキサーから排出して洗剤粒子群とした。
【０１０７】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された陰イオン界面活性剤組成物の発泡体の比重は、微粒化用気体によるせん断力により破泡し０．８５であった。得られた洗剤粒子群の組成及び物性を表１に示す。
【０１０８】
実施例５
発泡機における混合気体の量を０．１０Ｌ／ｍｉｎとし、発泡機より得られた陰イオン界面活性剤組成物の発泡体の比重が０．５８（発泡体の体積流量／微粒化用気体の流量は１．８ｃｍ3／Ｌ）であったことを除いて、実施例４と同条件にて造粒を行った。２流体ノズルにより噴霧された陰イオン界面活性剤組成物の発泡体の比重は、同様に破泡し０．８５であった。得られた洗剤粒子群の組成及び物性を表１に示す。
【０１０９】
実施例６
アルキル硫酸ナトリウムを６０℃に調整し、陰イオン界面活性剤組成物とした。調製された陰イオン界面活性剤組成物は、陰イオン界面活性剤１００質量部に対して水を５１．５２質量部含有する界面活性剤ペーストであった。また、該ペーストの６０℃での粘度は１．４Ｐａ・ｓであった。
【０１１０】
粉砕硫酸ナトリウム４．２０ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．８０ｋｇを、添加時間３４．６分、微粒化用気体３２Ｌ／ｍｉｎ（発泡体の体積流量／微粒化用気体の流量は１２．６ｃｍ3／Ｌ）の噴霧条件にて２流体ノズルにより添加し、添加後１分間攪拌した。即ち、洗剤用粉体原料１００質量部に対して６６．７質量部の該発泡体を６０℃で噴霧した。その後攪拌を止め、得られた造粒物をドラム型ミキサーから排出して洗剤粒子群とした。
【０１１１】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された陰イオン界面活性剤組成物の発泡体の比重は、微粒化用気体によるせん断力により破泡し０．４４であった。得られた洗剤粒子群の組成及び物性を表１に示す。
【０１１２】
実施例７
アルキル硫酸ナトリウムを６０℃に調整し、陰イオン界面活性剤組成物とした。調製された陰イオン界面活性剤組成物は、陰イオン界面活性剤１００質量部に対して水を５１．５２質量部含有する界面活性剤ペーストであった。また、該ペーストの６０℃での粘度は１．４Ｐａ・ｓであった。
【０１１３】
粉砕ライト灰０．９３ｋｇ、粉砕硫酸ナトリウム４．０７ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．０１ｋｇを、添加時間２２．６分、微粒化用気体２９Ｌ／ｍｉｎ（発泡体の体積流量／微粒化用気体の流量は１５．２ｃｍ3／Ｌ）の噴霧条件にて２流体ノズルにより添加し、添加後１分間攪拌した。即ち、洗剤用粉体原料１００質量部に対して４０．２質量部の該発泡体を６０℃で噴霧した。その後攪拌を止め、得られた造粒物をドラム型ミキサーから排出して洗剤粒子群とした。
【０１１４】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された陰イオン界面活性剤組成物の発泡体の比重は、微粒化用気体によるせん断力により破泡し０．３９であった。得られた洗剤粒子群の組成及び物性を表１に示す。
【０１１５】
実施例８
アルキル硫酸ナトリウムを６０℃に調整し、陰イオン界面活性剤組成物とした。調製された陰イオン界面活性剤組成物は、陰イオン界面活性剤１００質量部に対して水を５１．５２質量部含有する界面活性剤ペーストであった。また、該ペーストの６０℃での粘度は１．４Ｐａ・ｓであった。
【０１１６】
粉砕ライト灰２．００ｋｇ、粉砕硫酸ナトリウム２．０３ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．２４ｋｇを、添加時間２６．４分、微粒化用気体２８Ｌ／ｍｉｎ（発泡体の体積流量／微粒化用気体の流量は１５．１ｃｍ3／Ｌ）の噴霧条件にて２流体ノズルにより添加し、添加後１分間攪拌した。即ち、洗剤用粉体原料１００質量部に対して５５．７質量部の該発泡体を６０℃で噴霧した。
【０１１７】
続いて、６０℃のポリアクリル酸ナトリウム０．１９ｋｇと６０℃のポリエチレングリコール０．０２５ｋｇを圧送用ポット（ジャケット付き，ジャケット温度６０℃）に添加し、ポットに空気により圧力０．１ＭＰａをかけ、ポット出口のコントロールバルブの開度を９０度だけ開き、圧送してドラム型ミキサー内に２流体ノズル（アトマックス社製、ＢＮ９０）を用いて噴霧時間２．０分間、微粒化用気体８０Ｌ／ｍｉｎで添加し、添加後１分間攪拌した。その後攪拌を止め、ゼオライト０．１９ｋｇを添加して前記と同条件にて１分間攪拌を行い、得られた造粒物をドラム型ミキサーから排出して洗剤粒子群とした。
【０１１８】
尚、発泡機における混合気体の流量は０．５０Ｌ／ｍｉｎであり、発泡機より得られた陰イオン界面活性剤組成物の発泡体の比重は０．２０であった。また、２流体ノズルにより噴霧された陰イオン界面活性剤組成物の発泡体の比重は、微粒化用気体によるせん断力により破泡し０．３６であった。得られた洗剤粒子群の組成及び物性を表１に示す。
【０１１９】
実施例９
ポリオキシエチレンアルキル硫酸ナトリウムを６０℃に調整し、陰イオン界面活性剤組成物とした。調製された陰イオン界面活性剤組成物は、陰イオン界面活性剤１００質量部に対して水を４２．８６質量部含有する界面活性剤ペーストであった。また、該ペーストの６０℃での粘度は１．９Ｐａ・ｓであった。
【０１２０】
ライト灰４．６７ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．００ｋｇを、添加時間１５．３分、微粒化用気体３０Ｌ／ｍｉｎ（発泡体の体積流量／微粒化用気体の流量は１３．６ｃｍ3／Ｌ）の噴霧条件にて２流体ノズルにより添加し、添加後１分間攪拌した。即ち、洗剤用粉体原料１００質量部に対して４２．８３質量部の該発泡体を６０℃で噴霧した。その後攪拌を止め、ゼオライト０．３３ｋｇを添加して前記と同条件にて１分間攪拌を行い、得られた造粒物をドラム型ミキサーから排出して洗剤粒子群とした。
【０１２１】
尚、発泡機における混合気体の流量は０．２９Ｌ／ｍｉｎであり、発泡機より得られた陰イオン界面活性剤組成物の発泡体の比重は０．３２であった。また、２流体ノズルにより噴霧された陰イオン界面活性剤組成物の発泡体の比重は、微粒化用気体によるせん断力により破泡し０．６７であった。得られた洗剤粒子群の組成及び物性を表１に示す。
【０１２２】
比較例１
６０℃のアルキル硫酸ナトリウム１００質量部と６０℃のドデシルベンゼンスルホン酸ナトリウム１３５質量部を混合して、陰イオン界面活性剤組成物を調製した。
【０１２３】
ライト灰１．８１ｋｇ、粉砕硫酸ナトリウム３．４２ｋｇを洗剤用粉体原料としてドラム型ミキサー内に添加し、フルード数０．２で３０秒間攪拌した。その後、攪拌を継続したまま、調製した陰イオン界面活性剤組成物１．５５ｋｇを、添加時間１７分、微粒化用気体８０Ｌ／ｍｉｎ（該組成物の体積流量／微粒化用気体の流量は１．１ｃｍ3／Ｌ）の噴霧条件にて２流体ノズルにより添加し、添加後１分間攪拌した。即ち、洗剤用粉体原料１００質量部に対して２９．６４質量部の該組成物を６０℃で噴霧した。その後攪拌を止め、ゼオライト０．２２ｋｇを添加して前記と同条件にて１分間攪拌を行い、得られた造粒物をドラム型ミキサーから排出して洗剤粒子群とした。
【０１２４】
尚、該界面活性剤組成物の比重は１．０であり、２流体ノズルにより噴霧された後の比重についても１．０であった。得られた洗剤粒子群の組成及び物性を表１に示す。
【０１２５】
比較例２
アルキル硫酸ナトリウムを６０℃に調整し、陰イオン界面活性剤組成物とした。
【０１２６】
粉砕硫酸ナトリウム４．２０ｋｇを洗剤用粉体原料としてドラム型ミキサー内に添加し、フルード数０．２で３０秒間攪拌した。その後、攪拌を継続したまま、調製した陰イオン界面活性剤組成物２．８０ｋｇを、添加時間３３分、微粒化用気体８０Ｌ／ｍｉｎ（該組成物の体積流量／微粒化用気体の流量は１．１ｃｍ3／Ｌ）の噴霧条件にて２流体ノズルにより添加し、添加後１分間攪拌した。即ち、洗剤用粉体原料１００質量部に対して６６．７質量部の該組成物を６０℃で噴霧した。その後攪拌を止め、得られた造粒物をドラム型ミキサーから排出して洗剤粒子群とした。
【０１２７】
尚、該界面活性剤組成物の比重は１．０であり、２流体ノズルにより噴霧された後の比重についても１．０であった。得られた洗剤粒子群の組成及び物性を表１に示す。
【０１２８】
比較例３
アルキル硫酸ナトリウムを６０℃に調整し、陰イオン界面活性剤組成物とした。
【０１２９】
粉砕硫酸ナトリウム４．２０ｋｇを洗剤用粉体原料としてドラム型ミキサー内に添加し、フルード数０．２で３０秒間攪拌した。その後、攪拌を継続したまま、調製した陰イオン界面活性剤組成物の発泡体２．８０ｋｇを、添加時間３３分、微粒化用気体０Ｌ／ｍｉｎの噴霧条件にて２流体ノズルにより添加し、添加後１分間攪拌した。即ち、洗剤用粉体原料１００質量部に対して６６．７質量部の該発泡体を６０℃で添加した。その後攪拌を止め、得られた造粒物をドラム型ミキサーから排出して洗剤粒子群とした。
【０１３０】
尚、発泡機における混合気体の流量は０．５０Ｌ／ｍｉｎであり、発泡機より得られた陰イオン界面活性剤組成物の発泡体の比重は０．２０であった。また、２流体ノズルにより添加された陰イオン界面活性剤組成物の発泡体の比重は０．２０であった。これは、微粒化用気体の供給が伴わないため、該気体によるせん断力による破泡が生じなかった結果と考えられる。得られた洗剤粒子群の組成及び物性を表１に示す。
【０１３１】
比較例４
ポリオキシエチレンアルキル硫酸ナトリウムを６０℃に調整し、陰イオン界面活性剤組成物とした。ライト灰４．３３ｋｇを洗剤用粉体原料としてドラム型ミキサー内に添加し、フルード数０．２で３０秒間攪拌した。その後、攪拌を継続したまま、調製した陰イオン界面活性剤組成物２．３３ｋｇを、添加時間１８分、微粒化用気体８０Ｌ／ｍｉｎ（該組成物の体積流量／微粒化用気体の流量は１．５ｃｍ3／Ｌ）の噴霧条件にて２流体ノズルにより添加し、添加後１分間攪拌した。即ち、洗剤用粉体原料１００質量部に対して５３．８質量部の該組成物を６０℃で噴霧した。その後攪拌を止め、ゼオライト０．６６ｋｇを添加して前記と同条件にて１分間攪拌を行い、得られた造粒物をドラム型ミキサーから排出して洗剤粒子群とした。
【０１３２】
尚、該界面活性剤組成物の比重は１．０８であり、２流体ノズルにより噴霧された後の比重についても１．０８であった。得られた洗剤粒子群の組成及び物性を表１に示す。
【０１３３】
【表１】
2012255145.tif 000002
【０１３４】
実施例１〜９で得られた洗剤粒子群は、嵩密度が４４４〜６８２ｇ／Ｌとなった。また、造粒収率は９６％以上であり、中低嵩密度の洗剤粒子群が収率良く得られた。さらに、洗剤用粉体原料の中では比重が大きい部類に入る硫酸ナトリウムが多い組成であっても、中低嵩密度の洗剤粒子群を収率良く得ることができた。
【０１３５】
一方、比較例１、２及び４については、実施例より高嵩密度（７１５ｇ／Ｌ以上）の洗剤粒子群となった。これは、陰イオン界面活性剤組成物の発泡体を用いていないので、低比重の陰イオン界面活性剤組成物により粒子が構成されるという発泡体の効果が付与されなかったためと考えられる。
【０１３６】
比較例３については、実施例より造粒収率が低下（６０．６％）した。これは、陰イオン界面活性剤組成物の発泡体を用いているものの、微粒化気体を０Ｌ／ｍｉｎとしたことにより、即ち実質的に１流体ノズルを介して発泡体を噴霧したことにより、発泡体の高分散が達成されず、発泡体の持つ粘着性により粗大粒子の形成が生じたためと考えられる。更に、比較例３については、実施例より高嵩密度（７４３ｇ／Ｌ）の洗剤粒子群となった。これは、陰イオン界面界面活性剤組成物の発泡体が大きな液塊となって供給された結果、洗剤用粉体原料との接触において、洗剤用粉体原料の水和や溶解にかかる時間、及び洗剤用粉体原料により冷やされる時間が微細液滴の場合と比べて増加し、発泡体が固化しにくく、造粒中における発泡体の破泡がより起こりやすかったためと考えられる。
【０１３７】
更に、同組成の実施例１と比較例１を比較すると、６０秒間溶解率が向上し、ザラツキ消失時間も短くなった。これは、実施例１は、比較例１と比較して嵩密度が低くなったことからも判るように、発泡体を用いることで、粒子内の空隙が多く、溶解しやすくなったためと考えられる。更に、粗粒率及び微粉率の値に示されるように、粒径分布がシャープになり、流動性も向上した。
【産業上の利用可能性】
【０１３８】
本発明によれば、噴霧乾燥を使用しない方法にて、中低嵩密度の洗剤粒子群を収率良く製造することができる。かかる洗剤粒子群は、衣料用等様々な用途の洗剤組成物として、又はかかる洗剤組成物の一成分として好ましく用いることができる。